(57)【要約】【課題】防犯目的としての面格子の機能を十分に発揮させる面格子破壊防止装置を提供する。【解決手段】互いに間隔を隔てて並列され、かつ建造物の開閉口１６を覆う複数の棒状体１１ｃからなる面格子１１の前記複数の棒状体１１ｃを横断する横断棒状体１３と、該横断棒状体１３を前記複数の棒状体１１ｃにブラインドリベット固定する固定手段２０（ブラインドリベット）とを具えている。【選択図】図１
0003108988.tif 000002
【実用新案登録請求の範囲】
【請求項１】
互いに間隔を隔てて並列され、かつ建造物の開閉口を覆う複数の棒状体からなる面格子の前記複数の棒状体を横断する横断棒状体と、
該横断棒状体を前記複数の棒状体にブラインドリベット固定する固定手段
とを具えたことを特徴とする面格子破壊防止装置。
【考案の詳細な説明】
【技術分野】
【０００１】
本考案は、防犯目的としての面格子の機能を十分に発揮させる面格子破壊防止装置に関するものである。
【背景技術】
【０００２】
従来から、住宅等の建造物の外壁に固定される建具として、面格子が用いられている。  
この面格子は、複数本の棒状体を組み合わせて作った建具であり、通常、建造物の美観、プライバシーの保護、防犯、または構造物の補強等の目的で、建造物の窓、戸等の開閉口（以下、単に「開閉口」という。）を覆うように該開閉口近傍の外壁に固定される。
【０００３】
なお、面格子には、複数本の棒状体を、開閉口の幅方向或いは高さ方向に沿って並べてなるものや、開閉口の幅方向に沿った方向から所定角度をつけた方向に沿って斜めに並べてなるもの等、様々な形状の面格子がある。また、面格子の材質も、木製、鉄製、アルミ鋼板製、ステンレス製など、様々である。
【０００４】
図１５は、アルミ鋼板製の面格子を、開閉口近傍の外壁に取付けた様子を示す概念斜視図である。  
図１５で示すように、アルミ鋼板製の面格子１１は、互いに間隔を隔てて並列された複数の棒状体１１ｃを具えてなり、この複数の棒状体１１ｃは、建造物の開閉口１６を覆っている。
【０００５】
また、面格子１１は、複数の棒状体１１ｃを固定する連結棒状体１１ｄと、複数の棒状体１１ｃのうち両外側に位置する棒状体１１ｃに配設された固定部１１ａとをさらに具えている。また、複数の棒状体１１ｃ、固定部１１ａ及び連結棒状体１１ｄは、アルミ鋼板によって形成されている。
【０００６】
また、この面格子１１は、面格子固定装置１０１によって、開閉口１６の近傍の外壁１５に固定されている。  
この面格子１１を固定する面格子固定装置１０１は、面格子１１の四方の各端部に配設されており、また各面格子固定装置１０１は、面格子１１の脚である固定部１１ａと、固定部１１ａを固定する一対の固定手段３とから構成されている。なお、固定手段３は、固定部１１ａの図示せぬ孔（図示せぬ）に螺合するネジから構成されている。  
なお、面格子１１を開閉口１６の近傍の外壁１５に取付ける場合には、図１５に示すように、開閉口１６の近傍の外壁１５に固定された固定部１１ａを、外壁１５の表面１５ａに露出させるようにする方法、すなわち固定部１１ａを外壁１５の材料に後付けする方法のほか、建造物の躯体に直接固定部１１ａを固定した後、該固定部１１ａを外壁の材料で覆って外壁１５の表面１５ａから露出しないようにする方法、すなわち、建造物の躯体に直付けする方法とがある。  
なお、面格子１１が固定される外壁１５の材料、すなわち、外壁材としては、一般に、モルタル、サイディング、トタン下見等がある。
【０００７】
このような面格子１１は、複数の棒状体１１ｃが互いに間隔を隔てて並列し建造物の開閉口１６を覆うから、窃盗犯等、開閉口１６からの侵入を試みる者が容易に開閉口１６から侵入することは可及的に防止される。
【考案の開示】
【考案が解決しようとする課題】
【０００８】
ところで、上述したように面格子１１は、複数の棒状体１１ｃが互いに間隔を隔てて並列して建造物の開閉口１６を覆う構造であるから、図１６で示すように、窃盗犯等、開閉口１６からの侵入を試みる者が、棒状体１１ｃ間の間隔を強制的に広げ、これにより面格子１１を破壊することが容易であり、そのため、開閉口１６から建造物の内部へ侵入することが容易である。したがって、従来から、防犯目的としての面格子１１の機能が十分に発揮できないという問題があった。
【０００９】
この問題は、図１６で示すように面格子１１の固定部１１ｃを建造物の外壁材に後付けする方法によって固定した場合、面格子１１の固定部１１ｃを建造物の躯体に直付けする方法で固定した場合のいずれの場合にも同様に生じていた。
【００１０】
なお、上記した図１６は、図１５の面格子の棒状体間の間隔が強制的に広げられ、これにより面格子が破壊されている様子を示す概念斜視図であって、図１５と同一部分を同一符号で示している。
【００１１】
また、防犯目的としての面格子１１の機能が十分に発揮できないという問題は、たとえば、面格子１１が鉄又はステンレスから構成されている場合にも生じていた。  
すなわち、面格子１１が鉄又はステンレスから構成されている場合にも、窃盗犯等、開閉口１６からの侵入を試みる者が、棒状体１１ｃ間の間隔を強制的に広げて面格子１１を破壊する場合があり、そのため開閉口１６から建造物の内部へ侵入することができた。したがって、防犯目的としての面格子１１の機能が十分に発揮できないという問題があった。
【００１２】
また、図１７で示すように、木製の面格子２１では、棒状体２１ｃ間の強制的な拡開により面格子２１が破壊され防犯効果を十分に発揮できないという上記問題のほかに、複数の棒状体２１ｃを面格子２１の連結棒状体２１ｄに固定している釘の目１７が露出するから、窃盗犯等、開閉口１６からの侵入を試みる者が、該釘の目１７と連結棒状体２１ｄとの間に形成される隙間に、マイナス型のドライバー、又は釘抜き（バーアル）等の工具を差し込んで、棒状体２１ｃと連結棒状体２１ｄとの密着を解除し、これにより面格子２１を破壊して開閉口１６からの侵入することが容易であった。そのため、防犯目的としての面格子２１の機能が十分に発揮できないという問題もあった。  
なお、図１７は、木製の面格子を、開閉口近傍の外壁に取付けた様子を示す概念斜視図であって、図１５及び図１６と同一部分を同一符号で示す図である。また、この図７の面格子２１は、その棒状体２１ｃ、固定部２１ａ及び連結棒状体２１ｄが木材によって形成されているが、それら材質を除く棒状体２１ｃ、固定部２１ａ及び連結棒状体２１ｄの各構造は、それぞれ上記アルミ製の面格子１１の棒状体１１ｃ、固定部１１ａ及び連結棒状体１１ｄと同様である。
【００１３】
上述した事情に鑑み、本考案は、防犯目的としての面格子の機能を十分に発揮させる面格子破壊防止装置を提供することを目的とする。
【課題を解決するための手段】
【００１４】
上述した課題を解決するため、本考案の面格子破壊防止装置は、互いに間隔を隔てて並列され、かつ建造物の開閉口を覆う複数の棒状体からなる面格子の前記複数の棒状体を横断する横断棒状体と、該横断棒状体を前記複数の棒状体にブラインドリベット固定する固定手段とを具えている。
【考案の効果】
【００１５】
本考案の面格子破壊防止装置は、互いに間隔を隔てて並列され、かつ建造物の開閉口を覆う複数の棒状体からなる面格子の前記複数の棒状体を横断する横断棒状体と、該横断棒状体を前記複数の棒状体にブラインドリベット固定する固定手段とを具えているから、横断棒状体の長手方向に沿った方向の面格子の機械的強度が高められ、そのため窃盗犯等、開閉口からの侵入を試みる者が棒状体間の間隔を強制的に広げようとしても面格子を破壊することは可及的に困難であるとともに、さらに面格子が木製の面格子である場合には、窃盗犯等、開閉口からの侵入を試みる者が、工具により棒状体と連結棒状体との密着を解除したとしても、各棒状体と横断棒状体とのブラインドリベット固定を一つずつ解除しなければ開閉口からの侵入ができないため、その作業が煩雑である。  
そのため本考案の面格子破壊防止装置によれば、開閉口からの建造物の内部への侵入を可及的に困難にすることができることとなって、これにより、防犯目的としての面格子の機能を十分に発揮させることができる。
【考案を実施するための最良の形態】
【００１６】
本考案の面格子破壊防止装置について、以下の実施例の面格子破壊防止装置で詳述する。
【実施例１】
【００１７】
図1は、アルミ鋼板製の面格子に、本考案の第一実施例の面格子破壊防止装置を配設した様子を示す概念斜視図である。なお、図１では、図１５乃至図１７と同一部分を同一符号で示している。
【００１８】
図１で示すように、面格子１１は、互いに間隔を隔てて並列された複数の棒状体１１ｃを具えてなり、この複数の棒状体１１ｃは、建造物の開閉口１６を覆っている。  
また、面格子１１は、複数の棒状体１１ｃを固定する連結棒状体１１ｄと、複数の棒状体１１ｃのうち両外側に位置する棒状体１１ｃに配設された固定部１１ａとをさらに具えている。また、棒状体１１ｃ、固定部１１ａ及び連結棒状体１１ｄは、アルミ鋼板によって形成されている。
【００１９】
また、この面格子１１は、従来と同様の面格子固定装置１０１によって、開閉口近傍の外壁１５に固定されている。
【００２０】
また、図１で示すように、この面格子１１の破壊を防止する面格子破壊防止装置１は、面格子１１の複数の棒状体１１ｃを横断する横断棒状体１３と、該横断棒状体１３を複数の棒状体１１ｃにそれぞれブラインドリベット固定する固定手段２０（図２及び図３）とを具えている。
【００２１】
このうち、横断棒状体１３は、アルミ鋼板から構成されている。  
また、図１の要部概念平面図である図２、および該図２の概念断面図である図３で示すように、横断棒状体１３には第一の孔１３ａが各棒状体１１ｃに対応して形成されており、また複数の棒状体１１ｃには、該第一の孔１３ａに位置決め合致する第二の孔１１ｅが、各棒状体１１ｃに対応して形成されている。  
また、固定手段２０は、第一の孔１３ａと第二の孔１１ｅとに嵌挿して各棒状体１１ｃと横断棒状体１３とをかしめて締結する各ブラインドリベットから構成されている。なお、この各ブラインドリベットは、アルミニウムから形成されるフランジ部２０ａと、スチールから形成されるシャフト部２０ｂとを具えている。
【００２２】
なお、上記した図２及び図３は、図１及び図１４乃至図１６と同一部分を同一符号で示している。また、図１では固定手段２０の図示を省略している。
【００２３】
この面格子破壊防止装置１では、複数の棒状体を横断する横断棒状体１３と各棒状体１１ｃを、それぞれ第一の孔１３ａおよび第二の孔１１ｅを介して、固定手段２０（ブラインドリベット）により、かしめて締結している。  
そのため、横断棒状体１３の長手方向に沿った方向の面格子１１（図１）の機械的強度が高まる。したがって、窃盗犯等、開閉口１６からの侵入を試みる者が、棒状体１１ｃ間の間隔を強制的に広げようとしたとしても面格子１１を破壊することは可及的に困難であり、そのため開閉口１６からの建造物の内部への侵入を可及的に困難にすることができる。
【００２４】
すなわち、第一実施例の面格子破壊防止装置１は、互いに間隔を隔てて並列され、かつ建造物の開閉口１６を覆う複数の棒状体１１ｃからなる面格子１において、その複数の棒状体１１ｃを横断する横断棒状体１３と、該横断棒状体１３を複数の棒状体１１ｃにブラインドリベット固定する固定手段２０（ブラインドリベット）とを具えているから、横断棒状体１３の長手方向に沿った方向の面格子１の機械的強度が高められ、そのため、窃盗犯等、開閉口１６からの侵入を試みる者が、棒状体１１ｃ間の間隔を強制的に広げて面格子１１を破壊することは可及的に困難となる。したがって、この面格子破壊防止装置１によれば、開閉口１６からの建造物の内部への侵入を可及的に困難にすることができ、これにより防犯目的としての面格子の機能を十分に発揮させることができる。
【００２５】
なお、図１で示すように面格子１１の固定部１１ｃを建造物の外壁材に後付けする方法によって固定した場合だけでなく、面格子１１の固定部１１ｃを建造物の躯体に直付けする方法で固定した場合であっても、上述したように、面格子破壊防止装置１によって、横断棒状体１３の長手方向に沿った方向の面格子１の機械的強度が高まるから、窃盗犯等、開閉口１６からの侵入を試みる者が、棒状体１１ｃ間の間隔を強制的に広げて面格子１１を破壊することは可及的に困難となり、そのため開閉口１６からの建造物の内部への侵入を可及的に困難にすることができ、これにより、防犯目的としての面格子１１の機能が十分に発揮されることとなる。
【００２６】
なお、上記第一実施例では、面格子を構成する固定部１１ａ、複数の棒状体１１ｃ、連結棒状体１１ｄを、それぞれアルミ鋼板によって形成し、これにより面格子１１をアルミ鋼板製のものとしたが、この考案の面格子破壊防止装置が適用される面格子１１は、アルミ鋼板以外のものに限らず、木製、鉄製、又はステンレス等のものであってもよい。すなわち、例えば、面格子１１の固定部１１ａ、複数の棒状体１１ｃ、連結棒状体１１ｄは、それぞれ木材、鉄、又はステンレス等によって形成されていてもよい。  
なお、面格子１１の固定部１１ａ、複数の棒状体１１ｃ、連結棒状体１１ｄが、それぞれ、木材、鉄又はステンレスによって形成されている場合であっても、該面格子１１は、横断棒状体１３と該横断棒状体１３をブラインドリベット固定する固定手段２０（ブラインドリベット）とからなる面格子破壊防止装置１によって、横断棒状体１３の長手方向に沿った方向の面格子１の機械的強度が高まるから、窃盗犯等、開閉口１６からの侵入を試みる者が、棒状体１１ｃ間の間隔を強制的に広げて面格子１１を破壊することは可及的に困難となり、そのため開閉口１６からの建造物の内部への侵入を可及的に困難にすることができ、これにより、防犯目的としての面格子１１の機能が十分に発揮されることとなる。
【００２７】
また、上記第一実施例の面格子破壊防止装置１では、横断棒状体１３をアルミ鋼板によって形成するものとしたが、横断棒状体１３は、木材、鉄、又はステンレスによって形成されたものでもよく、そのような材質のものであっても上記したように横断棒状体１３の長手方向に沿った方向の面格子１の機械的強度を高めて面格子１１の破壊を防止できるので、防犯目的としての面格子１１の機能が十分に発揮されることとなる。
【実施例２】
【００２８】
図４は、木製の面格子に、本考案の第二実施例の面格子破壊防止装置を配設した様子を示す概念斜視図である。なお、図４では、図１乃至図３、及び図１５乃至図１７と同一部分を同一符号で示している。
【００２９】
この面格子２１は、その棒状体２１ｃ、固定部２１ａ及び連結棒状体２１ｄが木材によって形成されているが、それら材質を除く棒状体２１ｃ、固定部２１ａ及び連結棒状体２１ｂの各構造は、それぞれ上記面格子１１の棒状体１１ｃ、固定部１１ａ及び連結棒状体１１ｂと同様である。
【００３０】
なお、符号２０１は面格子固定装置であり、該面格子固定装置２０１は、その固定部２１ａの材質を木材に変更したこと以外の構造は、上記面格子固定装置１０１のものと同様である。
【００３１】
また、図４で示すように、この面格子２１に配設される第二実施例の面格子破壊防止装置３１は、横断棒状体３３と、該横断棒状体３３をブラインドリベット固定する固定手段２０（ブラインドリベット）とを具えている。
【００３２】
また、このうちの横断棒状体３３は、木材によって形成されているが、その材質を除く横断棒状体３３の構造は、上記した第一実施例の面格子破壊防止装置の横断棒状体１３と同様である。
【００３３】
この面格子破壊防止装置３１では、横断棒状体３３と、該横断棒状体３３をブラインドリベット固定する固定手段２０（ブラインドリベット）とを具えているから、連結棒状体３３の長手方向に沿った方向の面格子２１の機械的強度が高まり、そのため、窃盗犯等、開閉口１６からの侵入を試みる者が複数の棒状体２１ｃ間の間隔を強制的に広げて面格子を破壊することは可及的に困難であり、これにより、開閉口１６からの建造物の内部への侵入を可及的に困難にすることができる。
【００３４】
したがって、この面格子破壊防止装置３１によれば、防犯目的としての面格子２１の機能を十分に発揮させることができる。
【００３５】
なお、図４で示すように面格子２１の固定部２１ａを建造物の外壁材に後付けする方法によって固定した場合だけでなく、面格子２１の固定部２１ａを建造物の躯体に直付けする方法で固定した場合であっても、上述したように、面格子破壊防止装置３１によって、横断棒状体３３の長手方向に沿った方向の面格子１の機械的強度が高まるから、窃盗犯等、開閉口１６からの侵入を試みる者が、棒状体３１ｃ間の間隔を強制的に広げて面格子２１を破壊することは可及的に困難となり、そのため開閉口１６からの建造物の内部への侵入を可及的に困難にすることができ、これにより、防犯目的としての面格子２１の機能が十分に発揮されることとなることはいうまでもない。
【００３６】
また、この面格子２１では、複数の棒状体２１ｃを連結棒状体２１ｄに固定している釘の目１７が露出する。しかし、窃盗犯等、開閉口１６からの侵入を試みる者が、上記釘の目１７と連結棒状体２１ｄとの間に形成される隙間に、マイナス型のドライバー、又は釘抜き（バーアル）等の工具を差し込んで、棒状体２１ｃと連結棒状体２１ｄとの密着を解除したとしても、各棒状体２１ｃと横断棒状体２１ｄとがブラインドリベット固定（ブラインドリベット２０による固定）を一つずつ解除しなければ開閉口１６からの侵入できないため、その作業が煩雑であり、そのため開閉口１６からの建造物の内部へ侵入を可及的に困難にすることができる。
【００３７】
したがって、この面格子破壊防止装置３１によれば、防犯目的としての面格子２１の機能を十分に発揮させることができる。
【００３８】
また、図４の面格子破壊防止装置の横断棒状体３３に、図５で示すように、横断棒状体３３を覆う部材２５を、接着剤によって貼着固定するようにしてもよい。このようにすると、連結棒状体３３の長手方向に沿った方向の面格子２１の機械的強度がさらに高まるため、窃盗犯等、開閉口１６からの侵入を試みる者が複数の棒状体２１ｃ間の間隔を強制的に広げて面格子２１を破壊することが一層可及的に困難となり、これにより開閉口１６からの建造物の内部へ侵入をさらに可及的に困難にすることができる。そのため、防犯目的としての面格子２１の機能をさらに十分に発揮させることができる。
【００３９】
また、図５の面格子２４で示すように、横断棒状体３３に該横断棒状体３３を覆う部材２５を接着剤によって貼着固定すると、固定手段２０であるブラインドリベットが横断棒状体３３の表面に露出しなくなるので、該ブラインドリベッドによる固定を強制的に解除して面格子２１を破壊することが一層可及的に困難となり、これにより開閉口１６からの建造物の内部へ侵入をさらに可及的に困難にすることができる。そのため、防犯目的としての面格子２１の機能をさらに十分に発揮させることができる。
【００４０】
なお、横断棒状体３３の表面を覆う部材２５は、木材、鉄、又はステンレスによって形成されたものであればよく、またその形状もどうのようなものでもよいが、好ましくは、平板のアルミ鋼板によって形成されるのが好ましい。
【００４１】
また、図４の面格子２１は、釘の目１７が、連結棒状体２１ｄの表面から露出しているものとしたが、この考案の面格子破壊防止装置が適用される面格子２４は、図５で示すように、連結棒状体２１ｄと複数の棒状体２１ｃとを連結固定する釘の目１７が連結棒状体２１ｄの表面から露出しないように、連結棒状体２１ｄの表面を覆う部材２７が貼着固定されたものであってもよい。このような部材２７を具えた面格子２４では、窃盗犯等、開閉口１６からの侵入を試みる者が、該釘の目１７と連結棒状体２１ｄとの間に形成される隙間に、マイナス型のドライバー、又は釘抜き（バーアル）等の工具を差し込んで棒状体２１ｃと連結棒状体２１ｄとの密着を解除して面格子２４を破壊するためには、まず、部材２７を連結棒状体２１ｄから剥離しなければならないので、面格子２４を破壊する作業が煩雑となる。そのため、開閉口１６からの建造物の内部への侵入を可及的に困難にでき、これにより、防犯目的としての面格子２４の機能を十分に発揮させることができる。
【００４２】
なお、連結棒状体２１ｄの表面を覆う部材２７は、木材、鉄、又はステンレスによって形成されたものであればよく、またその形状もどのようなものでもよいが、平板のアルミ鋼板によって形成されるのが好ましい。
【００４３】
なお、横断棒状体２３の表面に部材２５を貼着固定する接着剤、又は連結棒状体２１ｄの表面に部材２７を貼着固定する接着剤としては、どのような接着剤でもよいが、「セラ・タック」と呼ばれる無溶剤型の一液性弾性接着剤が好ましい。
【００４４】
なお、上記した図５は、第二実施例の面格子破壊防止装置の横断棒状体の表面に、該横断棒状体を覆う部材を貼着固定するとともに、面格子の連結棒状体の表面に、該連結棒状体を覆う部材を貼着固定した様子を示す概念断面図であって、図１乃至図４、及び図１５乃至図１７と同一部分を同一符号で示している。
【００４５】
また、上記第一及び第二実施例では、面格子破壊防止装置１又は３１が配設された面格子１１、２１、２４は、いずれも開閉口１６（図１）の高さ方向に沿って複数の棒状体１１ｃ又は２１ｃを並列的に配置したものとして説明したが、本考案の面格子破壊防止装置が配設される面格子の種類はこれに限定されず、本考案の面格子破壊防止装置は、様々な形状の面格子に適用可能である。  
たとえば、図６で示す面格子４１のように、本考案の面格子破壊防止装置を適用する面格子は、複数本の棒状体１１ｃを開閉口１６（図１）の幅方向に沿って並べたものであってもよい。なお図６は、複数本の棒状体を開閉口の幅方向に沿って並べた面格子に、上記第一実施例の面格子破壊防止装置を配設した様子を示す概念平面図である。
【００４６】
また、図７又は図８で示す面格子５１、５５のように、本考案の面格子破壊防止装置１を適用する面格子は、複数の棒状体１１ｃを開閉口１６（図１）の幅方向に沿った方向から所定角度をつけた方向に沿って斜めに並べてなるものであってもよい。なお図７及び図８は、いずれも複数の棒状体を開閉口の幅方向に沿った方向から所定角度（図８の角度は、図７と異なる角度）をつけた方向に沿って斜めに並べてなる面格子に、第一実施例の面格子破壊防止装置を配設した様子を示す概念平面図である。
【００４７】
また、図９や図１０で示す面格子６１、６５のように、本考案の面格子破壊防止装置を適用する面格子は、複数の波型状の棒状体１１ｃを並べてなるものでもよい。  
なお、図９は、複数の波型状の棒状体を開閉口（図１）の高さ方向に沿って並べてなる面格子に、第一実施例の面格子破壊防止装置を配設した様子を示す概念平面図である。また、図１０は、複数の波型状の棒状体を開閉口（図１）の幅方向に沿って並べてなる面格子に、第一実施例の面格子破壊防止装置を配設した様子を示す概念平面図である。
【００４８】
また、図１１で示す面格子７１のように、本考案の面格子破壊防止装置を適用する面格子は、複数の棒状体１１ｃを開閉口１６の幅方向に沿った方向から第一の所定角度をつけた方向に沿って斜めに並べ、さらに複数の棒状体１１ｃを開閉口１６の幅方向に沿った方向から第二の所定角度（第一の所定角度とは異なる角度）をつけた方向に沿って斜めに並べてなるものであってもよい。  
なお、図１１は、複数の棒状体を開閉口の幅方向に沿った方向から第一の所定角度をつけた方向に沿って斜めに並べ、さらに複数の棒状体を開閉口の幅方向に沿った方向から第二の所定角度（第一の所定角度とは異なる角度）をつけた方向に沿って斜めに並べてなる面格子に、第一実施例の面格子破壊防止装置を配設した様子を示す概念平面図である。
【００４９】
また、図１２や図１３の面格子８１、８５で示すように、面格子の外形は図１、図６乃至図１０に示す形状に限らず、面格子の外形がかまぼこ型のものであってもよい。  
なお、図１２は、外形がかまぼこ型であって、複数の棒状体がほぼ均等間隔で並べられた面格子に、第一実施例の面格子破壊防止装置を配設した様子を示す概念平面図である。また、図１３は、外形がかまぼこ型であって、一対の棒状体を組として、該組が他の組と所定間隔を隔てて並べられた面格子に、第一実施例の面格子破壊防止装置を配設した様子を示す概念平面図である。
【００５０】
また、図１４で示す面格子９１のように、本考案の面格子破壊防止装置１を適用する面格子は、上記した面格子固定装置１０１（図１）とは別の面格子固定装置１１１によって開閉口１６の近傍の外壁１５に固定されるものであってもよい。
【００５１】
なお、面格子固定装置１１１は、固定部１１ａ（図１）と、固定手段３（図１）と、固定部１１ａを覆うキャップ５を具えたものである。この面格子固定装置１１１では、上記面格子固定装置１０１と同様に固定手段３によって固定部１１ａを外壁１５に固定した後、該固定部１１ａをキャップ５で覆うとともに、該キャップ５を接着剤（図示せぬ）によって固定部１１ａと固定手段３とに固定し、これにより該キャップ５を開閉口１６の近傍の外壁１５に固定するようにしたものである。この面格子固定装置１１１により固定された面格子９１は、上記した面格子固定装置１０１、２０１によって固定された場合に比し、固定部１１ａと固定手段３との強制的解除が可及的に防止された面格子である。
【００５２】
なお、図１４は、図１の面格子を、図１の面格子固定装置とは別の面格子固定装置によって開閉口近傍の外壁に固定した様子を示す概念斜視図である。
【００５３】
なお、上記図６乃至図１４では、図１乃至図５、及び図１５乃至図１７と同一部分を同一符号で示している。また上記図６乃至図１４では、固定手段２０の図示を省略している。
【００５４】
なお、本考案の面格子破壊装置が配設される上記図６乃至図１４の各面格子４１、５１、５５、６１、６５、７１、８１、８５、９１は、その固定部１１ａが建造物の外壁材に後付けする方法によって固定されるものであっても、面格子２１の固定部２１ａが建造物の躯体に直付けする方法で固定されるものであってもよいことはもちろんである。
【産業上の利用可能性】
【００５５】
本考案の面格子破壊防止装置は、防犯を強化する用途のみならず、建造物の美観の向上を図る用途等としても利用できる。
【図面の簡単な説明】
【００５６】
【図１】図1は、アルミ鋼板製の面格子に、本考案の第一実施例の面格子破壊防止装置を配設した様子を示す概念斜視図である。
【図２】図２は、図１の面格子の要部概念平面図である。
【図３】図３は、図２の概念断面図である。
【図４】木製の面格子に、本考案の第二の面格子破壊防止装置を配設した様子を示す概念斜視図である。
【図５】図５は、第二実施例の面格子破壊防止装置の横断棒状体の表面に、該横断棒状体を覆う部材を貼着固定するとともに、面格子の連結棒状体の表面に、該連結棒状体を覆う部材を貼着固定した様子を示す概念断面図である。
【図６】図６は、複数本の棒状体を開閉口の幅方向に沿って並べた面格子に、第一実施例の面格子破壊防止装置を配設した様子を示す概念平面図である。
【図７】図７は、複数の棒状体を開閉口の幅方向に沿った方向から所定角度をつけた方向に沿って斜めに並べてなる面格子に、第一実施例の面格子破壊防止装置を配設した様子を示す概念平面図である。
【図８】図８は、複数の棒状体を開閉口の幅方向に沿った方向から所定角度（図７とは異なる角度）をつけた方向に沿って斜めに並べてなる面格子に、第一実施例の面格子破壊防止装置を配設した様子を示す概念平面図である。
【図９】図９は、複数の波型状の棒状体を開閉口の高さ方向に沿って並べてなる面格子に、第一実施例の面格子破壊防止装置を配設した様子を示す概念平面図である。
【図１０】図１０は、複数の波型状の棒状体を開閉口の幅方向に沿って並べてなる面格子に、第一実施例の面格子破壊防止装置を配設した様子を示す概念平面図である。
【図１１】図１１は、複数の棒状体を開閉口の幅方向に沿った方向から第一の所定角度をつけた方向に沿って斜めに並べ、さらに複数の棒状体を開閉口の幅方向に沿った方向から第二の所定角度（第一の所定角度とは異なる角度）をつけた方向に沿って斜めに並べてなる面格子に、第一実施例の面格子破壊防止装置を配設した様子を示す概念平面図である。
【図１２】図１２は、外形がかまぼこ型であって、複数の棒状体がほぼ均等間隔で並べられた面格子に、第一実施例の面格子破壊防止装置を配設した様子を示す概念平面図である。
【図１３】図１３は、外形がかまぼこ型であって、一対の棒状体を組として、該組が他の組と所定間隔を隔てて並べられた面格子に、第一実施例の面格子破壊防止装置を配設した様子を示す概念平面図である。
【図１４】図１４は、図１の面格子を、図１の面格子固定装置とは別の面格子固定装置によって開閉口近傍の外壁に固定した様子を示す概念斜視図である。
【図１５】図１５は、アルミ鋼板製の面格子を、開閉口近傍の外壁に取付けた様子を示す概念斜視図である。
【図１６】図１６は、図１５の面格子の棒状体間の間隔が強制的に広げられ、これにより面格子が破壊されている様子を示す概念斜視図である。
【図１７】図１７は、木製の面格子を開閉口近傍の外壁に取付けた様子を示す概念斜視図である。
【符号の説明】
【００５７】
１、３１…面格子破壊防止装置
１１、２１、２４、４１、５１、５５、６１、６５、７１、８１、８５、９１…面格子
１１ｃ、２１ｃ…複数の棒状体
１３、３３…横断棒状体
１５…外壁
２０…固定手段
【図１】
0003108988.tif 000003
【図２】
0003108988.tif 000004
【図３】
0003108988.tif 000005
【図４】
0003108988.tif 000006
【図５】
0003108988.tif 000007
【図６】
0003108988.tif 000008
【図７】
0003108988.tif 000009
【図８】
0003108988.tif 000010
【図９】
0003108988.tif 000011
【図１０】
0003108988.tif 000012
【図１１】
0003108988.tif 000013
【図１２】
0003108988.tif 000014
【図１３】
0003108988.tif 000015
【図１４】
0003108988.tif 000016
【図１５】
0003108988.tif 000017
【図１６】
0003108988.tif 000018
【図１７】
0003108988.tif 000019